(57)【要約】【課題】  光ファイバが絡むことがなく、挿入損失が小さく反射を伴わない効率的な、光ファイバからなる光損失デバイスを提供することである。【解決手段】  ループ状に光ファイバが１周以上巻かれたループ部を有し、該ループ部からなる面内に回転軸を有し且つ互いに向かい合う回転中心を２箇所有し、該回転軸を中心に該ループ部をひねることによりループ部の形状を変化させることで、光ファイバに導光された使用波長帯の光を減衰させることが可能となる。【選択図】     図２
2009020167.tif 000002
【特許請求の範囲】
【請求項１】
ループ状に光ファイバが１周以上巻かれたループ部を有し、該ループ部からなる面内に回転軸を有し且つ互いに向かい合う回転中心を２箇所有し、該回転軸を中心に該ループ部をひねることにより、ループ部の形状を変化させ使用波長帯の光を減衰させることを特徴とする光ファイバからなる光損失デバイス。
【請求項２】
請求項１において、該ループ部の２箇所の回転中心をそれぞれ保持部とし、２箇所の該保持部を該回転軸を中心として回転させることにより該ループ部をひねることを特徴とする光ファイバからなる光損失デバイス。
【請求項３】
請求項１において、該ループ部のループ内に２つの棒を有し、更には該棒のいずれか１つの該棒を、該回転軸を中心として回転させることにより該ループ部をひねることを特徴とする光ファイバからなる光損失デバイス。
【発明の詳細な説明】
【技術分野】
【０００１】
本発明は光計測や光通信などに使用される、光アッテネータおよび光スイッチに関するものである。
【背景技術】
【０００２】
レーザ光源やＡＳＥ光源等では、光出力を調整するために光アッテネータを設置したり、安全のために光スイッチを設置したりしている場合がある。光ファイバにより出射される光源の多くは、光発生部から発生した光を光ファイバに集光し、導光用光ファイバにより出力光ファイバまで導光する。一般に光アッテネータや光スイッチは導光用光ファイバの中間に配置される。
【０００３】
光アッテネータの構成としては、コリメートされたビーム領域内にアッテネータ板やナイフエッジを挿入して光透過率を調整したり、伝搬しているコリメート光をファラデー効果を有するガーネット結晶に外部磁界を印加したり、プリズムやミラーで方向を変えたりすることによって、コリメート受光系への結合効率を変化させたりする方式のものがある（特許文献１、２）。光スイッチの構成としては、対向させた光ファイバのうち、一つの光ファイバの光軸をずらして、別の光ファイバと対向させることによって光路の切り替えをしたり、ミラーの位置や角度を変えることによって、結合する光ポートを替えたりしている（特許文献３，４）。
【０００４】
しかし、光アッテネータや光スイッチ（以下、光損失デバイス）を光ファイバ間に挿入する場合、光ファイバから出射された拡散光をコリメートするレンズやアッテネータ板、遮断板を挿入する必要がある。その際、光ファイバ端面やレンズ表面、アッテネータ板表面で発生した反射光が光源部に入射すると、出力パワーが不安定になったり、多重反射により出力光の波長スペクトルにリップルが現れたりするため、光源の品質を著しく劣化させる。最悪の場合、励起されたレーザ媒質内に反射光が入射することにより、ジャイアントパルスが発生し、レーザを構成している共振器ミラーを破壊したり、光ファイバ出射端面を破壊したりする可能性があるので、反射を限りなく小さくする必要がある。
反射を抑制する手段として、光ファイバの端面を斜めにしたり、反射面にＡＲコートを施したりすることが挙げられるが、高価な構成になる一方、完全に反射を抑制することは困難である。
【０００５】
また、空間光学系は挿入損失が大きいので、精密なアライメントを要するが限界がある。特に、波長７００ｎｍ以下の紫外・可視領域におけるシングルモード光ファイバはコア径が２．５μｍ以下のものもあり、アライメントが極めて困難である。
反射のない理想的な光損失デバイスを構成するためには、空間に光を持ち出すことなく、光ファイバ内部で損失を与えることができる光損失デバイス、すなわち全ファイバ型光損失デバイスが必要である。全ファイバ型光損失デバイスとしては、光ファイバを円柱に巻き取ることにより損失を得る方法（特許文献５、６）、または、ループ状に巻かれた光ファイバに一次元的な伸縮動作を加えて楕円に変形させることによって減衰率をさせる方法（特許文献７）が知られている。
【特許文献１】特許第２９３３９１９号公報
【特許文献２】特開２０００−３１４８６１号公報
【特許文献３】特開平９−１５９９４０号公報
【特許文献４】特開２００６−７８８３７号公報
【特許文献５】実開昭６２−６０９０２号公報
【特許文献６】特開平７−１５９７０５号公報
【特許文献７】特開２００５−７７９７３号公報
【発明の開示】
【発明が解決しようとする課題】
【０００６】
全ファイバ型光損失デバイスにおいて、上記の光ファイバを円柱に巻き取ることにより損失を得る場合は、大きな光損失を得るためには、光ファイバを巻き取る円柱を小径にしたり、巻き数を増やしたりする必要がある。巻き数を増やした場合には、光ファイバが絡まる恐れがある。
【０００７】
また、上記のループ状に巻かれた光ファイバ１に一次元的な伸縮動作を加えて楕円に変形させることによって減衰率をさせる場合の模式図を図１に示す。図１には一次元的な伸縮動作前（ａ）と伸縮動作時（ｂ）の光ファイバのループ形状を模式的に示している。一次元的な伸縮動作時（ｂ）には、伸縮動作前（ａ）に比べ、曲げ半径が小さくなる部分もある一方で、曲げ半径が大きくなる部分もある。すなわち曲げ半径が大きくなる部分では曲げ損失が減少するため、効率的ではない。
本発明は、光ファイバが絡むことがなく、挿入損失が小さく反射を伴わない効率的な光損失デバイスを提供することを目的としている。
【課題を解決するための手段】
【０００８】
そこで本発明者らは、図１に示すように、１次元的な伸縮動作により曲げを得る方式では、曲げ半径が小さくなる箇所もあるが、逆に曲げ半径が大きくなる箇所も存在する。すなわち、曲げ半径が大きくなる箇所では、曲げ損失が減少するため効率的ではない。このような課題に対して、本発明の手段の模式図を図２に示す。図２には、光ファイバ１のループ部をひねる前（ａ）と後（ｂ）のループ形状を模式的に示している。ループ部のひねり後（ｂ）では、光ファイバのループ部全ての箇所において、ひねる前（ａ）に比べ曲げ半径が小さくなることを見出し、本発明に到ったものである。
【０００９】
すなわち、本発明は、ループ状に光ファイバが１周以上巻かれたループ部を有し、該ループ部からなる面内に回転軸を有し且つ互いに向かい合う回転中心を２箇所有し、該回転軸を中心に該ループ部をひねることにより、ループ部の形状を変化させ使用波長帯の光を減衰させることを特徴とする光ファイバからなる光損失デバイスを提供するものである。
【００１０】
また、該ループ部の２箇所の回転中心をそれぞれ保持部とし、２箇所の該保持部を該回転軸を中心として回転させることにより該ループ部をひねることを特徴とする光ファイバからなる光損失デバイスを提供するものである。
【００１１】
また、該ループ部のループ内に２つの棒を有し、更には該棒のいずれか１つの該棒を、該回転軸を中心として回転させることにより該ループ部をひねることを特徴とする光ファイバからなる光損失デバイスを提供するものである。
【００１２】
尚、本発明において、ひねることの概念について説明する。図３にひねることの概念を示す模式図を示す。図３において、１は光ファイバからなるループ部を示しており、面Ｕはループ部を含む面を示している。また、ループ部の向かい合う点としてＸ０とＹ０、Ｘ０とＹ０を回転中心とする面Ｕ内にある回転軸をＺ、さらには点Ｘ０とＹ０の接線をそれぞれ線分Ｘ１−Ｘ２と線分Ｙ１−Ｙ２で示す。ひねるとは、回転軸Ｚを中心に、線分Ｘ１−Ｘ２と線分Ｙ１−Ｙ２の回転角度が異なる状態に回転させることを意味している。
【発明の効果】
【００１３】
本発明により、光ファイバが絡むことがなく、かつ、挿入損失が小さく、反射を伴わない光損失デバイスを提供できる。
【発明を実施するための最良の形態】
【００１４】
以下、最良の実施形態について説明する。まず、曲げ損失の影響を与える光ファイバのパラメータについて述べる。一般に、単位長さあたりの光ファイバの曲げ損失αは次式で表記される。
α＝４．３４×（πａｗＲ）−１／２×（ｕ／Ｖ）２×ｅｘｐ（（（−４／３）・（ｗ３／Ｖ２）・ΔＲ／ａ）
ｕ＝（ｋ2・ｎ１２−β２）１／２×ａ
ｗ＝（β２−ｋ２・ｎ２２）１／２×ａ
β＝ｎ１・ｋｃｏｓθ
ｋ＝λ／２π
Ｖ＝ｋａ（ｎ１２−ｎ２２）１／２
ＮＡ ＝（２Δ）１／２・ｎ１
上記式において、ａ:コア径、Ｖ:規格化導波路周波数、ｎ１：コア屈折率、ｎ２：クラッド屈折率、λ:波長、Ｒ:曲げ半径、Δ：比屈折率差を示す。
【００１５】
すなわち、光ファイバの曲げ損失は、光の波長、コアおよびクラッドの屈折率、コア径などによって変化する。現在、近紫外の波長から赤外波長において、様々な光ファイバが作製されている。所望の波長で、最も高率的な光減衰量が得られるように、光ファイバの種類、曲げ半径、巻き数を適切に選ぶ必要がある。
【００１６】
図４に本発明を実施するための最良の形態を示す。図４において１本の光ファイバ１の一部が直径ｄにてｎ周巻かれており、２つの保持部２，３により保持されている。
【００１７】
このとき、直径ｄの値は、光ファイバを直径ｄ／２にて２ｎ周巻いた時に、所望の波長λにおいて、所望の光減衰率が得られる直径に設定するのが望ましい。
【００１８】
例えば、波長５４３ｎｍで動作する光損失デバイスを、光ファイバ（コア直径２．1μｍ、クラッド直径１２５μｍ、ＵＶ被覆直径２５０μｍ、ＮＡ０．１３、カットオフ波長３５０ｎｍ）を用いて光損失デバイスを作製する場合を例に挙げる。図５に光ファイバ（コア直径２．1μｍ、クラッド直径１２５μｍ、ＵＶ被覆直径２５０μｍ、ＮＡ０．１３、カットオフ波長３５０ｎｍ）をｄ＝２６ｍｍ（１０周）、ｄ＝１３ｍｍ（２０周）に曲げた場合の損失スペクトルを示す。波長５４３ｎｍで動作させる場合、直径ｄの値は波長５４３ｎｍにて曲げ損失が発生しない最小の直径ｄ＝２６ｍｍに設定するのが望ましい。光ファイバの巻き数が足りない場合や、曲げ半径が大きすぎる場合、ひねりによって十分な曲げ半径が得られない可能性がある。
【００１９】
図４において、ループ状の光ファイバにひねりを加えるための保持部の回転方向を示すために、保持部２から左側に出ている光ファイバ部をＡ、保持部２から右側に出ている光ファイバ部をＢ、保持部３から左側に出ている光ファイバ部をＡ’、保持部３から右側に出ている光ファイバ部をＢ’とする。
【００２０】
ここで、保持部２および保持部３を通る仮想的な直線Ｏ−Ｏ’を中心軸として保持部２を固定したまま保持部３を１８０度回転させたときの状態を図６に示す。保持部３の回転により直径ｄ／２の輪が２ｎ周形成される。このとき、直径ｄ／２にて２ｎ周巻かれた光ファイバでは、所望の波長λにおいて所望の光減衰率が得られる。
【００２１】
図６では、回転軸直線Ｏ−Ｏ’が保持部を通っているが、回転軸は光ファイバのループ部を含む面Ｕに存在していればよく、保持部を通っている必要は無い。
【００２２】
ここで、図１に示すように、光ファイバのループ部に一次元的な伸縮動作を加えて楕円に変形させる場合、曲げ半径が小さくなる箇所もあるが、逆に曲げ半径が大きくなる箇所も存在する。すなわち、曲げ半径が大きくなる箇所では、曲げ損失が減少するため効率的ではない。一方、図２に示すように本発明の手段による光ファイバのループ部をひねる場合、光ファイバのループ部の全ての箇所において、曲げ半径が小さくなるので、曲げ損失を効率的に生じることができる。
【００２３】
本発明の光損失デバイスは、全て光ファイバで構成されているため、反射が全く発生しない。また、空間結合部が存在しないため、低損失である。
【００２４】
また、図６に示される保持部３の回転角度を制御することで所望の光減衰量を得ることができる。また、本発明による光損失デバイスは、可逆であるため、可変光損失デバイスとしても動作する。
【００２５】
より大きな減衰率が必要とされる場合、光ファイバの巻き数を増やしたり、本発明による光損失デバイスを直列に複数台接続したりして使用することもできる。
【００２６】
また、本発明の光デバイスの減衰量を確認する手段の例として、図７に示す。図７は、光源から放出される光が本発明の光損失デバイスを透過した後、Ｔａｐカプラ２４により分岐することで、光損失デバイスを透過した光の一部がフォトダイオード２５に入射され、光強度が検出される構成となっている。光損失デバイスをひねる前後でフォトダイオード２５により光強度を検出することにより、光源からの光強度の減衰量を確認することができる。
【００２７】
以下、実施例により説明する。
【実施例１】
【００２８】
図８に本発明の光損失デバイスの実施例を示す。本実施例は、光ファイバ１（コア直径２．1μｍ、クラッド直径１２５μｍ、ＵＶ被覆直径２５０μｍ、ＮＡ０．１３、カットオフ波長３５０ｎｍ）がループ状にφ２６ｍｍで１０周巻かれており、該ループ内に２本のＳＵＳ棒４と５（φ３ｍｍ）が挿入されている。ＳＵＳ棒４は固定され、ＳＵＳ棒５は回転機構６に保持されている。回転機構６は、ロータリーソレノイド２６（Ｅｍｅｓｓｅｍ  Ｓｏｌｅｎｏｉｄ  Ｃｏｍｐａｎｙ製ＧＤＡＸ０５０）の回転軸に接続した減速ギア２７（減速比０．２５）に取り付けられており、ロータリーソレノイド２６を駆動させることにより所定の回転角度にＳＵＳ棒５を回転出来る。
【００２９】
図８の（ｂ）に示すように、光ファイバ１のループ部にひねりが加えられていない状態を得るためにＳＵＳ棒５をＳＵＳ棒４に対して５°ずらして配置した。このように配置されたＳＵＳ棒４に対するＳＵＳ棒５の角度を基準角度とした。ＳＵＳ棒５を０度（すなわち基準角度）、１８０度回転させた場合の光ファイバ１の損失スペクトルを図９の測定系を用いて測定した。
【００３０】
図９は、ハロゲン光源、光スペクトラムアナライザ（ＡＮＤＯ製ＡＱ６３１５Ａ）で構成されている。まず、図９の（ａ）に示すように、ハロゲン光源をＯＮにして光損失デバイスから出射された光スペクトルを測定し、次に、図９の（ｂ）に示すように光損失デバイスを取り除いて光スペクトルを測定して、それらの差を取ることにより光損失スペクトルの測定を行った。
【００３１】
図１０にＳＵＳ棒５を０度及び１８０度回転させたときの、光損失スペクトルを示す。図１０によると、ＳＵＳ棒５を０度から１８０度に回転させることにより、５５０ｎｍから６００ｎｍの範囲の損失が大きく変化しているので、特にこの波長範囲で顕著な光減衰率の変化を得ることができる。
【００３２】
ＳＵＳ棒５が基準角度にあるとき、図１１に示すように、波長５４３ｎｍのＡＳＥ光源３１（セントラル硝子製ＣＦＡ−４３ＬＵ）を用いて光ファイバ１の挿入損失をパワーメータ３２（Ａｎｒｉｔｓｕ製ＭＡ９４１１Ａ）で測定したところ、０．０８ｄＢであった。また、ＳＵＳ棒５を基準角度に対して、０度、３０度、６０度、９０度、１２０度、１５０度、１８０度回転させ、それぞれの回転角度について、上記と同様に光ファイバ１の挿入損失を測定した。
【００３３】
１８０度まで回転させたときの光ファイバの状態を図１２に示す。ＳＵＳ棒５の回転角度とひねられた光ファイバ１の挿入損失の関係を図１３に示す。図１３によると、挿入損失は、回転角９０度付近において最も急峻に増加し、回転角度が１２０度以上になると、損失の増大が緩やかとなった。回転角度１８０度における挿入損失は、５．４０ｄＢであった。
【００３４】
また、光ファイバの巻き数を１周として、ＳＵＳ棒５を１８０度回転させ、上記と同様に光ファイバ１の挿入損失を測定した場合、挿入損失は０．５２ｄＢであった。ＳＵＳ棒５が基準角度に対して回転角度１８０度の状態において、巻き数１周あたり約０．５ｄＢの光減衰率が得られることが分かった。このとき、ひねりを加えられた光ファイバによって発生した反射を図１４に示す測定系を用いて測定した。
【００３５】
図１４は５４３ｎｍ帯ＡＳＥ光源３１（セントラル硝子製ＣＦＡ−４３ＬＵ）、３ｄＢカプラ３０（コア直径２．1μｍ、クラッド直径１２５μｍ、ＵＶ被覆直径２５０μｍ、ＮＡ０．１３、カットオフ波長３５０ｎｍ、透過過剰ロス０．２ｄＢ）、パワーメータ３２（Ａｎｒｉｔｓｕ製ＭＡ９４１１Ａ）で構成される。３ｄＢカプラ３０の先端に本発明による光損失デバイスが融着接続されており、さらにその先端に反射を発生させないために終端処理（８°斜め研磨）が施されており、５４３ｎｍ帯ＡＳＥ光源３１から出射される光の反射をパワーメータ３２にて検出することで反射が測定できる。
【００３６】
図１２に示されるように光ファイバ１のループ部にひねりを加えた場合、図１４に示す測定系を用いた測定による反射は−５０ｄＢであった。また、本発明による光損失デバイスを接続せず３ｄＢカプラ３０の先端に終端処理（８°斜め研磨）を施した場合の反射は、ＡＳＥ光源の出射パワー対して、５０ｄＢ減衰しており、図１４の測定方法における、反射光の検出下限は−５０ｄＢである。すなわち、本発明による光損失デバイスの反射は検出下限以下である。
【００３７】
さらに、ＳＵＳ棒５を逆方向に１８０度回転させて基準角度に戻したところ、挿入損失は０．０８ｄＢとなった。また、回転角を調整することで、０．０８ｄＢ〜５．２ｄＢの間で任意の減衰率を得ることができた。すなわち、可変アッテネータを構成することが可能である。
【００３８】
本発明の光損失デバイスを用いる光アッテネータは空間を経由していないため、屈折率差が大きいガラス・空気間でのフレネル反射が発生しない。
【実施例２】
【００３９】
図１５に本発明の光損失デバイスの実施例を示す。本実施例は、光ファイバ１（コア直径２．1μｍ、クラッド直径１２５μｍ、ＵＶ被覆直径２５０μｍ、ＮＡ０．１３、カットオフ波長３５０ｎｍ）がループ状にφ２６ｍｍで１０周巻かれており、ロータリーソレノイド２６（Ｅｍｅｓｓｅｍ  Ｓｏｌｅｎｏｉｄ  Ｃｏｍｐａｎｙ製ＧＤＡＸ０５０）の回転軸に接続した減速ギア２７（減速比０．２５）と光ファイバ１のループ部をＵＶ硬化樹脂で固定することで保持部３が形成されている。
【００４０】
また、保持部３の向側のループ部をＵＶ硬化樹脂で固定することで保持部２が形成されている。したがって、ロータリーソレノイド２６の駆動により、ループ部の保持部３が回転しループ部がひねられる構造となっている。
【００４１】
実施例１と同様に図１１の実験系を用い、保持部３を１８０度回転させたときの光ファイバ１の挿入損失を測定したところ、波長５４３ｎｍにおいて、挿入損失は５．３５ｄＢであることが分かり、実施例１と同様に光損失デバイスとして機能することが確認できた。
【実施例３】
【００４２】
図１６に本発明の光損失デバイスの実施例を示す。本実施例は、実施例１の光損失デバイスの構成において光ファイバ１の巻数を２５周としその他の構成は同じ光損失デバイスを、４台直列に接続したものである。４つのＳＵＳ棒７、８、９、１０は固定され、ＳＵＳ棒１１、１２、１３、１４を基準角度から１８０度回転させた。このとき、実施例１と同様に図１１の測定系を用いて光ファイバ１の挿入損失を測定したところ、波長５４３ｎｍにおける挿入損失は５０ｄＢであった。すなわちＣ−Ｄ間において５０ｄＢの減衰率を有する光損失デバイスを構成することができた。また、図１４の測定系を用いて、実施例１と同様に図１６に示す光損失デバイスの反射を測定したところ、検出下限である−５０ｄＢ以下であった。
【実施例４】
【００４３】
図１７に本発明の光損失デバイスの実施例を示す。本実施例は、波長の異なる３個の内蔵光源１６（波長４８８ｎｍ光源：Ｔｍ−Ｙｂ共添加アップコンバージョン・ファイバ光源）、１７（波長５４３ｎｍ光源：セントラル硝子製ＣＦＡ−４３ＬＵ）、１８（波長６３５ｎｍ光源：ＯＺ製ＦＯＳＳ−０１-３Ｓ−４／１２５−６３５−Ｓ−１）のそれぞれの先端に、実施例３と同様な構成の光損失デバイス（１９、２０、２１）が接続され、さらにその先はファイバ溶融延伸型ＷＤＭ２２に接続され１本の光ファイバに集約され出力コネクタ２３から光が出射される構成となっている。
【００４４】
内臓光源１６、１７、１８全てをＯＮにし、かつ、本発明によるすべての光損失デバイス１９、２０、２１の回転角を０度（すなわち基準角度）とした場合、出力コネクタ２３からは、３波長（４８８ｎｍ、５４３ｎｍ、６３５ｎｍ）の光が出力された。
【００４５】
さらに、光損失デバイス２０、２１の回転角をそれぞれ１８０度にしたとき、出力コネクタからは波長５４３ｎｍと、６３５ｎｍの光は出力されなくなった。このように、本実施例において、特定の波長をＯＮ／ＯＦＦする光スイッチとしても動作できることが確認できた。
【００４６】
この構成により、内蔵光源から出力された光は、本発明により特定の波長のみを通過（または遮断）させる事ができ、かつ一度も光ファイバ以外の空間を経由せずに出力ポートへ接続されるため、反射のない光スイッチを構成することができた。
【産業上の利用可能性】
【００４７】
本発明は、光計測、光通信に限らず、光ファイバを用いた光伝送全般において、光減衰器や光スイッチとして利用可能な技術である。
【図面の簡単な説明】
【００４８】
【図１】一次元的な伸縮動作を加えて楕円に変形させる場合の模式図である。
【図２】本発明の手段の模式図である。
【図３】本発明における「ひねり」を説明するための模式図である。
【図４】本発明の光損失デバイスの構成を示す模式図である。
【図５】本発明における、曲げ損失スペクトルと使用波長の関係を示す模式図である。
【図６】本発明におけるひねりによる変形した時のループ形状を示す模式図である。
【図７】光減衰率をモニタする手段の一つを示す模式図である。
【図８】実施例１の光損失デバイスの構成を示す模式図である。
【図９】光スペクトラムアナライザを用いた損失スペクトラムを測定を示す模式図である。
【図１０】実施例１において、回転角０度と１８０度の時の光損失デバイスの損失スペクトルを示すグラフである。
【図１１】パワーメータを用いた挿入損失測定を示す模式図である。
【図１２】実施例１において、光ファイバ１のループ部にひねりを与えた時の形状を示す模式図である。
【図１３】実施例１による光損失デバイスの回転角度と光ファイバ１の挿入損失の関係を示すグラフである。
【図１４】反射測定に用いた測定系を示す模式図である。
【図１５】実施例２の光損失デバイスの構成を示す模式図である。
【図１６】実施例３の光損失デバイスの構成を示す模式図である。
【図１７】実施例３の構成を示す模式図である。
【符号の説明】
【００４９】
１:光ファイバ
２：保持部
３：保持部
４、７、８、９、１０:固定されたＳＵＳ棒
５:回転機構６に保持されたＳＵＳ棒
６：回転機構
１１、１２、１３、１４:回転機構に保持されたＳＵＳ棒
１６：内蔵光源（波長４８８ｎｍ）
１７：内蔵光源（波長５４３ｎｍ）
１８：内蔵光源（波長６３５ｎｍ）
１９、２０、２１：本発明による光損失デバイス
２２：ファイバ型溶融延伸デバイス
２３：出力コネクタ
２４：ＴＡＰカプラ
２５：フォトダイオード
２６：ロータリーソレノイド
２７：減速ギア
２８：ハロゲン光源
２９：光スペクトラムアナライザ
３０：３ｄＢカプラ
３１：５４３ｎｍＡＳＥ光源
３２：パワーメータ
Ａ：保持部２の左端
Ｂ：保持部２の右端
Ａ’：保持部３の左端
Ｂ’：保持部３の右端
Ｃ：光損失デバイスの入力端
Ｄ：光損失デバイスの出力端
Ｚ：回転軸
Ｏ−Ｏ’：保持部３の回転軸
Ｕ：光ファイバのループ部が属する仮想的な面
Ｘ０、Ｙ０：ループ状の光ファイバの任意の点
Ｘ１−Ｘ２：円上の点Ｘ０における接線の線分
Ｙ１−Ｙ２：円上の点Ｙ０における接線の線分
ｄ：ひねる前のループ直径
ｄ／２：ひねり時のループ直径
【図１】
2009020167.tif 000003
【図２】
2009020167.tif 000004
【図３】
2009020167.tif 000005
【図４】
2009020167.tif 000006
【図５】
2009020167.tif 000007
【図６】
2009020167.tif 000008
【図７】
2009020167.tif 000009
【図８】
2009020167.tif 000010
【図９】
2009020167.tif 000011
【図１０】
2009020167.tif 000012
【図１１】
2009020167.tif 000013
【図１２】
2009020167.tif 000014
【図１３】
2009020167.tif 000015
【図１４】
2009020167.tif 000016
【図１５】
2009020167.tif 000017
【図１６】
2009020167.tif 000018
【図１７】
2009020167.tif 000019